(57)【特許請求の範囲】
【請求項１】
フェムトセル基地局との間で無線通信を行う無線通信手段と、
前記フェムトセル基地局の過負荷状態を試験的に再現するための手順又は条件を記述するシナリオに従って前記無線通信の負荷を試験的に増大させる負荷試験手段と、を備え、
前記シナリオは、前記過負荷状態にあるフェムトセル基地局の性能評価から逆算して得られる、移動機。
【請求項２】
請求項１に記載の移動機であって、
前記シナリオは、前記無線通信の負荷を試験的に変動させるように記述されている、移動機。
【請求項３】
請求項１又は請求項２に記載の移動機であって、
前記シナリオは、所定時間以上継続して前記無線通信の負荷を試験的に増大させるように記述されている、移動機。
【請求項４】
請求項１乃至請求項３のうち何れか１項に記載の移動機であって、
前記負荷試験手段は、前記フェムトセル基地局からのダウンリンクの通信ログを解析することにより、前記フェムトセル基地局の性能評価を行う、移動機。
【請求項５】
フェムトセル基地局との間で無線通信を行うステップと、
前記フェムトセル基地局の過負荷状態を試験的に再現するための手順又は条件を記述するシナリオに従って前記無線通信の負荷を試験的に増大させるステップと備え、
前記シナリオは、前記過負荷状態にあるフェムトセル基地局の性能評価から逆算して得られる、負荷試験方法。
【請求項６】
フェムトセル基地局との間で無線通信を行う無線通信手段、及び
前記フェムトセル基地局の過負荷状態を試験的に再現するための手順又は条件を記述するシナリオに従って前記無線通信の負荷を試験的に増大させる負荷試験手段として移動機を機能させる負荷試験プログラムであって、
前記シナリオは、前記過負荷状態にあるフェムトセル基地局の性能評価から逆算して得られる、負荷試験プログラム。
【発明の詳細な説明】
【技術分野】
【０００１】
本発明はフェムトセル基地局の負荷試験を行うための移動機、方法、及びプログラムに関する。
【背景技術】
【０００２】
フェムトセル基地局は、家庭用向けデジタル加入者線又はケーブルブロードバンド接続等を利用して移動機を公衆回線等に接続する機能を有する低出力のワイヤレスアクセスポイントである。フェムトセル基地局は、過負荷状態においても安定動作の保証が要求されるため、負荷試験装置を使用してその動作の安定性の検証が行われている。例えば、特開平１１−１２７１０２号公報に開示されているように、従来の負荷試験では、負荷試験装置が移動機の発着呼タイミングを制御して基地局の過負荷状態を試験的に再現し、基地局が正常に動作するか否かを検証している。
【先行技術文献】
【特許文献】
【０００３】
【特許文献１】特開平１１−１２７１０２号公報
【発明の概要】
【発明が解決しようとする課題】
【０００４】
しかし、オフィスや店舗等の実フィールドでフェムトセル基地局の負荷試験を実施するには、負荷試験装置等の電子機器を実フィールドに搬入し、負荷試験装置と移動機とをＵＳＢケーブルで結線する等の作業が必要になるため、人目に触れずに負荷試験を実施することが困難であった。
【０００５】
そこで、本発明は、フェムトセル基地局の負荷試験をより簡易に実施することを課題とする。
【課題を解決するための手段】
【０００６】
上記の課題を解決するため、本発明に係わる移動機は、フェムトセル基地局との間で無線通信を行う無線通信手段と、フェムトセル基地局の過負荷状態を試験的に再現するための手順又は条件を記述するシナリオに従って無線通信の負荷を試験的に増大させる負荷試験手段とを備える。シナリオは、過負荷状態にあるフェムトセル基地局の性能評価から逆算して得られる。
【発明の効果】
【０００７】
本発明によれば、フェムトセル基地局の負荷試験をより簡易に実施できる。
【図面の簡単な説明】
【０００８】
【図１】本実施形態に係わる移動機の構成を示す機能ブロック図である。
【発明を実施するための形態】
【０００９】
以下、図面を参照しながら本発明に係わる実施形態について説明する。
図１は本実施形態に係わる移動機１０の構成を示す機能ブロック図である。移動機１０は、例えば、スマートフォン等の高機能携帯電話であり、フェムトセル基地局２０との間で所定の通信方式（例えば、符号分割多重接続方式）により無線通信を行うための無線通信部１１と、移動機１０の動作を制御するための制御部１２と、負荷試験プログラム１５及び負荷試験の手順又は条件を記述するシナリオシナリオ１６を記憶するための記憶部１３とを備えている。制御部１２は、ＣＰＵ及びメモリ等を含む回路基板から構成されており、例えば、アンドロイドオペレーティングシステム上で負荷試験プログラム１５を実行することにより、フェムトセル基地局２０の過負荷状態を試験的に再現するために、移動機１０とフェムトセル基地局２０との間の無線通信の負荷を試験的に増大させる負荷試験手段１４として機能する。
【００１０】
無線通信部１１は、例えば、適応多重レート方式により音声符号化された音声信号の発着信、ショートメッセージサービスの発着信、及びパケット通信の発着信の機能を有している。負荷試験手段１４は、例えば、適応多重レート方式により音声符号化された音声信号の発着信、ショートメッセージサービスの発着信、及びパケット通信の発着信の繰り返し回数や繰り返し間隔を制御したり、或いは、フェムトセル基地局２０のカバレッジエリア内に移動機１０が存圏しているか否かを示す存圏／離圏の変更の繰り返し回数や繰り返し間隔を制御したりすることにより、無線通信の負荷を試験的に増大させることができる。
【００１１】
シナリオ１６は、フェムトセル基地局２０の過負荷状態を試験的に再現するための手順又は条件を記述している。この手順又は条件は、上述の各種発着信の種別、順序、繰り返し回数、繰り返し間隔、及び存圏／離圏の繰り返し回数、繰り返し間隔等を含む。実フィールドでの運用では、実験室内で想定される負荷よりも複雑且つ高い負荷がフェムトセル基地局２０に加えられる場合がある。例えば、人通りの多い道路や店舗等にフェムトセル基地局２０が設置される場合には、多数の移動機からの適応多重レート方式により音声符号化された音声信号の発着信、ショートメッセージサービスの発着信、及びパケット通信の発着信の回数が想定範囲を超える場合があり、同様に、移動機の存圏／離圏の繰り返し回数が想定範囲を超える場合がある。一般的に、フェムトセル基地局２０は、低コストで大量生産することを前提に限られた処理能力でハードウェア設計されているため、各種の発着信動作と多くの存圏／離圏の繰り返しが組み合わされた複雑且つ高い負荷の環境下でも安定動作することが望ましい。このような複雑且つ高い負荷を試験的に再現するには、実フィールドで運用されているフェムトセル基地局２０の性能評価の一つであるＫＰＩ（key performance indicator）から逆算してシナリオ１６を作成するのが好ましい。
【００１２】
フェムトセル基地局２０のＫＰＩの一例を下式に示す。
Ｋ1＝３６００Ａ1／２ａ1＋３６００Ａ2／２ａ2＋Ｂ1＋Ｂ2＋Ｃ1＋Ｄ1…（１）
Ｋ2＝３６００Ａ3／２ａ3…（２）
Ｋ3＝３６００Ｂ1／ｂ1＋３６００Ｂ2／ｂ2＋３６００Ａ1／２ａ1…（３）
Ｋ4＝Ｂ1＋３６００Ｂ2／ｂ2＋３６００Ａ1／２ａ1…（４）
Ｋ5＝３６００Ｃ1／ｃ1…（５）
Ｋ6＝Ａ1／２＋Ａ2／２＋Ｂ1＋Ｂ2＋Ｃ1＋Ｄ1…（６）
【００１３】
ここで、Ｋ1は音声通信／パケット通信の位置登録成功数、Ｋ2は音声通信／パケット通信の位置登録失敗数、Ｋ3はパケット通信の実施回数、Ｋ4はパケットデータプロトコルの確立回数、Ｋ5は音声通信の実施回数、Ｋ6は一つのセルに存圏している移動機の数を示す。移動機として、アンドロイド端末、コンベンショナル端末、意図的に位置登録が拒絶される端末、PS Callを行う端末、PCデータ通信を行う端末、CS Callを行う端末、周期位置登録を行う端末があり、Ａ1はアンドロイド端末の台数、Ａ2はコンベンショナル端末の台数、Ａ3は意図的に位置登録が拒絶される端末の台数、Ｂ1はPS Callを行う端末の台数、Ｂ2はPCデータ通信を行う端末の台数、Ｃ1はCS Callを行う端末の台数、Ｄ1は周期位置登録を行う端末の台数を示す。ａ1はアンドロイド端末の位置登録の繰り返し間隔、ａ2はコンベンショナル端末の位置登録の繰り返し間隔、ａ3は意図的に位置登録が拒絶される端末の位置登録の繰り返し間隔、ｂ1はPS Callの繰り返し間隔、ｂ2はPCデータ通信の繰り返し間隔、ｃ1はCS Callの繰り返し間隔、ｄ1は周期位置登録の繰り返し間隔を示す。
【００１４】
Ｋ1〜Ｋ6の理論値が実フィールドでのＫ1〜Ｋ6の実測値に合致するように、各パラメータ（ａ1，ａ2，ａ3，ｂ1，ｂ2，ｃ1）の値を調整することにより、実フィールドで運用されているフェムトセル基地局２０の性能評価の一つであるＫＰＩから逆算してシナリオ１６を作成することができる。
【００１５】
シナリオ１６は、移動機１０とフェムトセル基地局２０との間の無線通信の負荷を試験的に変動させるように、上述の手順又は条件を記述してもよい。例えば、上述の各種発着信の種別、順序、繰り返し回数、繰り返し間隔、及び存圏／離圏の繰り返し回数、繰り返し間隔等を僅かに変動（回数の増加又は減少、繰り返し間隔の短縮又は延長）させることにより、実フィールドにおけるフェムトセル基地局２０の負荷をより忠実に再現できる。
【００１６】
シナリオ１６は、長時間継続して無線通信の負荷を試験的に増大させるように記述されていてもよい。フェムトセル基地局２０を長時間係属して過負荷状態におくことにより、実験室レベルでの簡易な負荷試験では判明できなかった問題点や課題が初めて発見されることもあり得る。このような問題点や課題の発見は、フェムトセル基地局２０の改良に役立つ。
【００１７】
負荷試験手段１４は、フェムトセル基地局２０からのダウンリンクの通信ログを解析することにより、試験的に過負荷状態にあるフェムトセル基地局２０の性能評価を行ってもよい。
【００１８】
負荷試験装置３０はフェムトセル基地局２０に接続しており、正常時の処理能力や過負荷状態での挙動を測定及び解析することにより、フェムトセル基地局２０の性能評価を行う。負荷試験装置３０は、例えば、無線又は有線等のネットワークを介して移動機１０に接続し、移動機１０にコマンドを送信することにより、負荷試験を遠隔制御してもよい。コマンドの内容として、例えば、シナリオ１６の変更（上述の手順又は条件の変更や負荷試験実施時間の変更）等がある。
【００１９】
本実施形態によれば、移動機１０自体が負荷試験の機能を有しているため、フェムトセル基地局２０の負荷試験を実フィールドで簡易に実施できる利点を有する。
【符号の説明】
【００２０】
１０…移動機
１１…無線通信部
１２…制御部
１３…記憶部
１４…負荷試験手段
１５…負荷試験プログラム
１６…シナリオ
２０…フェムトセル基地局
３０…負荷試験装置
【要約】
【課題】フェムトセル基地局の負荷試験をより簡易に実施する。
【解決手段】移動機１０は、フェムトセル基地局２０との間で無線通信を行う無線通信部１１と、フェムトセル基地局２０の過負荷状態を試験的に再現するために無線通信の負荷を試験的に増大させる制御部１２とを備える。制御部１２は、フェムトセル基地局２０の過負荷状態を試験的に再現するための手順又は条件を記述するシナリオ１６に従って、無線通信の負荷を試験的に増大させる。シナリオ１６は、例えば、過負荷状態にあるフェムトセル基地局２０の性能評価から逆算して得られる。
【選択図】図１【図１】
0005436643.tif 000002